(57)【要約】  エリアアクティブ駆動を行う画像表示装置において、各エリアの発光輝度が当該各エリア内の画素の輝度の最大値や平均値に基づいて決定されることに起因する、動画表示の際のフリッカの発生を抑制する。  発光輝度算出部（１５１）は、入力画像（３１）を複数のエリアに分割し、各エリアのＬＥＤの発光時の輝度（第１の発光輝度）（３２）を求める。最大輝度位置偏心係数算出部（１５２）は、各エリアにおける最大輝度の位置を示す最大輝度位置偏心係数（３３）を求める。発光輝度補正部（１５３）は、最大輝度位置偏心係数（３３）とＬＥＤフィルタ（１５６）に格納されている寄与比率（３４）とに基づいて、第１の発光輝度（３２）を補正する。その際、最大輝度位置の存在する方向と同じ方向に位置するエリアの輝度は比較的高くされ、最大輝度位置の存在する方向とは逆の方向に位置するエリアの輝度は比較的低くされる。
2011013402.tif 000002
【特許請求の範囲】
【請求項１】
バックライトの輝度を制御する機能を有する画像表示装置であって、
複数の表示素子を含む表示パネルと、
複数の光源を含むバックライトと、
入力画像を複数のエリアに分割し、各エリアに対応した入力画像に基づいて、当該各エリアに対応した光源の発光時の輝度を第１の発光輝度として求める発光輝度算出部と、
各エリアにつき前記入力画像に基づく最大の輝度値を有する画素の位置である最大輝度位置に基づいて当該各エリアから予め定められた範囲内に位置するエリアの前記第１の発光輝度を補正することにより、前記複数のエリアの第２の発光輝度を求める発光輝度補正部と、
前記入力画像と前記第２の発光輝度とに基づき、前記表示素子の光透過率を制御するための表示用データを求める表示用データ算出部と、
前記表示用データに基づき、前記表示パネルに対して前記表示素子の光透過率を制御する信号を出力するパネル駆動回路と、
前記第２の発光輝度に基づき、前記バックライトに対して前記光源の輝度を制御する信号を出力するバックライト駆動回路と
を備え、
前記発光輝度補正部は、所定の補正用データに基づく前記第１の発光輝度の補正後の輝度を基準輝度としたとき、各エリアの中心位置を基準として当該各エリアの前記最大輝度位置と同じ側に位置するエリアについては前記基準輝度よりも前記第２の発光輝度の方が高くなるように、かつ、各エリアの中心位置を基準として当該各エリアの前記最大輝度位置とは異なる側に位置するエリアについては前記基準輝度よりも前記第２の発光輝度の方が低くなるように、前記第２の発光輝度を求めることを特徴とする、画像表示装置。
【請求項２】
各エリアについての中心位置と前記最大輝度位置との位置関係を示す偏心値を求める偏心値算出部を更に備え、
前記発光輝度補正部は、前記偏心値に基づいて前記第２の発光輝度を求めることを特徴とする、請求項１に記載の画像表示装置。
【請求項３】
前記偏心値算出部は、各エリアの中心位置を通過する垂直軸から前記最大輝度位置までの距離と当該各エリアの中心位置を通過する水平軸から前記最大輝度位置までの距離とに基づいて、当該各エリアについての前記偏心値を求めることを特徴とする、請求項２に記載の画像表示装置。
【請求項４】
前記偏心値算出部は、各エリアの中心位置から前記最大輝度位置までの距離と、当該各エリアの中心位置から前記最大輝度位置へ伸ばした直線と当該各エリアの中心位置を通過する中心位置から正の方向側へ伸ばした水平軸とのなす角度とに基づいて、当該各エリアについての前記偏心値を求めることを特徴とする、請求項２に記載の画像表示装置。
【請求項５】
前記発光輝度補正部は、
前記複数のエリアを１エリアずつ順次に着目エリアとし、前記着目エリアから予め定められた範囲内に位置するエリアを１エリアずつ順次に補正対象エリアとして前記補正対象エリアの輝度を補正することによって、各エリアにつき前記第１の発光輝度から前記第２の発光輝度を求める際に複数回の輝度の補正を行い、
各エリアについての１回の輝度の補正の際に、前記着目エリアと前記補正対象エリアとの位置関係に応じて前記補正用データとして予め定められた第１係数と前記着目エリアについての前記偏心値とに基づいて第２係数を求め、前記着目エリアの第１の発光輝度に前記第２係数を乗ずることによって得られる輝度または前記補正対象エリアの補正前輝度のうちの大きい方の輝度を前記補正対象エリアの補正後輝度とし、
各エリアについての１回目の輝度の補正の際には、当該各エリアの第１の発光輝度を前記補正前輝度とし、
各エリアについての最後の輝度の補正で得られた前記補正後輝度を前記第２の発光輝度とすることを特徴とする、請求項１に記載の画像表示装置。
【請求項６】
前記発光輝度補正部は、
前記複数のエリアを１エリアずつ順次に着目エリアとし、前記着目エリアから予め定められた範囲内に位置するエリアを１エリアずつ順次に補正対象エリアとして前記補正対象エリアの輝度を補正することによって、各エリアにつき前記第１の発光輝度から前記第２の発光輝度を求める際に複数回の輝度の補正を行い、
各エリアについての１回の輝度の補正の際に、前記着目エリアと前記補正対象エリアとの位置関係に応じて前記補正用データとして予め定められた第１係数と前記着目エリアについての前記偏心値とに基づいて第２係数を求め、前記着目エリアの第１の発光輝度に前記第２係数を乗ずることによって得られた輝度を前記補正対象エリアの補正前輝度に加算することによって得られる輝度を前記補正対象エリアの補正後輝度とし、
各エリアについての１回目の輝度の補正の際には、当該各エリアの第１の発光輝度を前記補正前輝度とし、
各エリアについての最後の輝度の補正で得られた前記補正後輝度を前記第２の発光輝度とすることを特徴とする、請求項１に記載の画像表示装置。
【請求項７】
前記発光輝度補正部は、前記着目エリアの第１の発光輝度が０でなければ前記補正対象エリアの第２の発光輝度が当該補正対象エリアの第１の発光輝度よりも高くなるように、前記複数のエリアの第２の発光輝度を求めることを特徴とする、請求項５に記載の画像表示装置。
【請求項８】
複数の表示素子を含む表示パネルと複数の光源を含むバックライトとを備えた画像表示装置における画像表示方法であって、
入力画像を複数のエリアに分割し、各エリアに対応した入力画像に基づいて、当該各エリアに対応した光源の発光時の輝度を第１の発光輝度として求める発光輝度算出ステップと、
各エリアにつき前記入力画像に基づく最大の輝度値を有する画素の位置である最大輝度位置に基づいて当該各エリアから予め定められた範囲内に位置するエリアの前記第１の発光輝度を補正することにより、前記複数のエリアの第２の発光輝度を求める発光輝度補正ステップと、
前記入力画像と前記第２の発光輝度とに基づき、前記表示素子の光透過率を制御するための表示用データを求める表示用データ算出ステップと、
前記表示用データに基づき、前記表示パネルに対して前記表示素子の光透過率を制御する信号を出力するパネル駆動ステップと、
前記第２の発光輝度に基づき、前記バックライトに対して前記光源の輝度を制御する信号を出力するバックライト駆動ステップと
を備え、
前記発光輝度補正ステップでは、所定の補正用データに基づく前記第１の発光輝度の補正後の輝度を基準輝度としたとき、各エリアの中心位置を基準として当該各エリアの前記最大輝度位置と同じ側に位置するエリアについては前記基準輝度よりも前記第２の発光輝度の方が高くなるように、かつ、各エリアの中心位置を基準として当該各エリアの前記最大輝度位置とは異なる側に位置するエリアについては前記基準輝度よりも前記第２の発光輝度の方が低くなるように、前記第２の発光輝度が求められることを特徴とする、画像表示方法。
【請求項９】
各エリアについての中心位置と前記最大輝度位置との位置関係を示す偏心値を求める偏心値算出ステップを更に備え、
前記発光輝度補正ステップでは、前記偏心値に基づいて前記第２の発光輝度が求められることを特徴とする、請求項８に記載の画像表示方法。
【請求項１０】
前記偏心値算出ステップでは、各エリアの中心位置を通過する垂直軸から前記最大輝度位置までの距離と当該各エリアの中心位置を通過する水平軸から前記最大輝度位置までの距離とに基づいて、当該各エリアについての前記偏心値が求められることを特徴とする、請求項９に記載の画像表示方法。
【請求項１１】
前記偏心値算出ステップでは、各エリアの中心位置から前記最大輝度位置までの距離と、当該各エリアの中心位置から前記最大輝度位置へ伸ばした直線と当該各エリアの中心位置を通過する中心位置から正の方向側へ伸ばした水平軸とのなす角度とに基づいて、当該各エリアについての前記偏心値が求められることを特徴とする、請求項９に記載の画像表示方法。
【請求項１２】
前記発光輝度補正ステップでは、
前記複数のエリアを１エリアずつ順次に着目エリアとし、前記着目エリアから予め定められた範囲内に位置するエリアを１エリアずつ順次に補正対象エリアとして前記補正対象エリアの輝度を補正することによって、各エリアにつき前記第１の発光輝度から前記第２の発光輝度を求める際に複数回の輝度の補正が行われ、
各エリアについての１回の輝度の補正の際に、前記着目エリアと前記補正対象エリアとの位置関係に応じて前記補正用データとして予め定められた第１係数と前記着目エリアについての前記偏心値とに基づいて第２係数が求められ、前記着目エリアの第１の発光輝度に前記第２係数を乗ずることによって得られる輝度または前記補正対象エリアの補正前輝度のうちの大きい方の輝度が前記補正対象エリアの補正後輝度とされ、
各エリアについての１回目の輝度の補正の際には、当該各エリアの第１の発光輝度が前記補正前輝度とされ、
各エリアについての最後の輝度の補正で得られた前記補正後輝度が前記第２の発光輝度とされることを特徴とする、請求項８に記載の画像表示方法。
【請求項１３】
前記発光輝度補正ステップでは、
前記複数のエリアを１エリアずつ順次に着目エリアとし、前記着目エリアから予め定められた範囲内に位置するエリアを１エリアずつ順次に補正対象エリアとして前記補正対象エリアの輝度を補正することによって、各エリアにつき前記第１の発光輝度から前記第２の発光輝度を求める際に複数回の輝度の補正が行われ、
各エリアについての１回の輝度の補正の際に、前記着目エリアと前記補正対象エリアとの位置関係に応じて前記補正用データとして予め定められた第１係数と前記着目エリアについての前記偏心値とに基づいて第２係数が求められ、前記着目エリアの第１の発光輝度に前記第２係数を乗ずることによって得られた輝度を前記補正対象エリアの補正前輝度に加算することによって得られる輝度が前記補正対象エリアの補正後輝度とされ、
各エリアについての１回目の輝度の補正の際には、当該各エリアの第１の発光輝度が前記補正前輝度とされ、
各エリアについての最後の輝度の補正で得られた前記補正後輝度が前記第２の発光輝度とされることを特徴とする、請求項８に記載の画像表示方法。
【請求項１４】
前記発光輝度補正ステップでは、前記着目エリアの第１の発光輝度が０でなければ前記補正対象エリアの第２の発光輝度が当該補正対象エリアの第１の発光輝度よりも高くなるように、前記複数のエリアの第２の発光輝度が求められることを特徴とする、請求項１２に記載の画像表示方法。
【発明の詳細な説明】
【技術分野】
【０００１】
本発明は、画像表示装置に関し、特に、バックライトの輝度を制御する機能（バックライト調光機能）を有する画像表示装置に関する。
【背景技術】
【０００２】
液晶表示装置など、バックライトを備えた画像表示装置では、入力画像に基づきバックライトの輝度を制御することにより、バックライトの消費電力を抑制し、表示画像の画質を改善することができる。特に、画面を複数のエリアに分割し、エリア内の入力画像に基づき当該エリアに対応したバックライト光源の輝度を制御することにより、さらなる低消費電力化と高画質化が可能となる。以下、このようにエリア内の入力画像に基づきバックライト光源の輝度を制御しながら表示パネルを駆動する方法を「エリアアクティブ駆動」という。【０００３】
エリアアクティブ駆動を行う液晶表示装置では、バックライト光源として、例えば、ＲＧＢ３色のＬＥＤ（Light Emitting Diode）や白色ＬＥＤが使用される。各エリアに対応したＬＥＤの輝度は当該各エリア内の画素の輝度の最大値や平均値などに基づいて求められ、ＬＥＤデータとしてバックライト用の駆動回路に与えられる。また、そのＬＥＤデータと入力画像とに基づいて表示用データ（液晶の光透過率を制御するためのデータ）が生成され、当該表示用データは液晶パネル用の駆動回路に与えられる。【０００４】
以上のような液晶表示装置によれば、入力画像に基づき好適な表示用データとＬＥＤデータとを求め、表示用データに基づき液晶の光透過率を制御し、ＬＥＤデータに基づき各エリアに対応したＬＥＤの輝度を制御することにより、入力画像を液晶パネルに表示することができる。また、エリア内の画素の輝度が小さいときには、当該エリアに対応するＬＥＤの輝度を小さくすることにより、バックライトの消費電力を低減することができる。【０００５】
なお、本件発明に関連して、以下の先行技術文献が知られている。日本の特開２００７−１８３４９９号公報には、互いに隣接する分割領域の境界部近傍（拡大領域）に最大表示輝度を示す位置が存在するときに輝度の低い方の分割領域の発光率を輝度の高い方の分割領域の発光率に合わせる補正を行うことにより発光効率の向上を図っている表示装置の発明が開示されている。
【先行技術文献】
【特許文献】
【０００６】
【特許文献１】日本の特開２００７−１８３４９９号公報
【発明の概要】
【発明が解決しようとする課題】
【０００７】
ところが、上述したエリアアクティブ駆動を行う画像表示装置においては、低階調の背景上を高階調の微細なオブジェクトが移動するような動画表示が行われた際に、各エリアに対応したＬＥＤの輝度の急激な変化に起因して、画面にフリッカ（ちらつき）が発生することがある。以下、このフリッカについて説明する。【０００８】
例えば、図１６に示すように黒色（輝度０％）の背景の中で白色（輝度１００％）の微細な矩形オブジェクト９１が画面の左から右へと移動する動画表示が行われたときの現象について説明する。具体的には、水平方向に連続するエリア７１〜７６（図１７参照）内を矩形オブジェクト９１が時間の経過に従って画面の左から右へと移動するものと仮定する。ここで、図１７に示すように、時点ｔ１から時点ｔ３にかけて矩形オブジェクト９１がエリア７３からエリア７４へと移動する場合、各エリア７１〜７６における（ＬＥＤの）発光輝度の変化は図２５に示すようなものとなる。すなわち、時点ｔ１から時点ｔ２にかけては、矩形オブジェクト９１の位置は移動しているが、各エリア７１〜７６における発光輝度については変化していない。そして、時点ｔ３になると、矩形オブジェクト９１の位置がエリア７３からエリア７４へと移動するのに伴って、各エリア７１〜７６における発光輝度は大きく変化している。これは、各エリアの発光輝度は、各時点における当該各エリア内の画素の輝度の最大値や平均値に基づいて決定されているからである。その結果、上述のような矩形オブジェクト９１がエリア間の境界部分を跨って移動するタイミング毎に各エリアの発光輝度は大きく変化し、それら発光輝度の急激な変化がフリッカとして視認される。【０００９】
そこで、本発明は、エリアアクティブ駆動を行う画像表示装置において、各エリアの発光輝度が当該各エリア内の画素の輝度の最大値や平均値に基づいて決定されることに起因する、動画表示の際のフリッカの発生を抑制することを目的とする。
【課題を解決するための手段】
【００１０】
本発明の第１の局面は、バックライトの輝度を制御する機能を有する画像表示装置であって、
複数の表示素子を含む表示パネルと、
複数の光源を含むバックライトと、
入力画像を複数のエリアに分割し、各エリアに対応した入力画像に基づいて、当該各エリアに対応した光源の発光時の輝度を第１の発光輝度として求める発光輝度算出部と、
各エリアにつき前記入力画像に基づく最大の輝度値を有する画素の位置である最大輝度位置に基づいて当該各エリアから予め定められた範囲内に位置するエリアの前記第１の発光輝度を補正することにより、前記複数のエリアの第２の発光輝度を求める発光輝度補正部と、
前記入力画像と前記第２の発光輝度とに基づき、前記表示素子の光透過率を制御するための表示用データを求める表示用データ算出部と、
前記表示用データに基づき、前記表示パネルに対して前記表示素子の光透過率を制御する信号を出力するパネル駆動回路と、
前記第２の発光輝度に基づき、前記バックライトに対して前記光源の輝度を制御する信号を出力するバックライト駆動回路と
を備え、
前記発光輝度補正部は、所定の補正用データに基づく前記第１の発光輝度の補正後の輝度を基準輝度としたとき、各エリアの中心位置を基準として当該各エリアの前記最大輝度位置と同じ側に位置するエリアについては前記基準輝度よりも前記第２の発光輝度の方が高くなるように、かつ、各エリアの中心位置を基準として当該各エリアの前記最大輝度位置とは異なる側に位置するエリアについては前記基準輝度よりも前記第２の発光輝度の方が低くなるように、前記第２の発光輝度を求めることを特徴とする。【００１１】
本発明の第２の局面は、本発明の第１の局面において、
各エリアについての中心位置と前記最大輝度位置との位置関係を示す偏心値を求める偏心値算出部を更に備え、
前記発光輝度補正部は、前記偏心値に基づいて前記第２の発光輝度を求めることを特徴とする。【００１２】
本発明の第３の局面は、本発明の第２の局面において、
前記偏心値算出部は、各エリアの中心位置を通過する垂直軸から前記最大輝度位置までの距離と当該各エリアの中心位置を通過する水平軸から前記最大輝度位置までの距離とに基づいて、当該各エリアについての前記偏心値を求めることを特徴とする。【００１３】
本発明の第４の局面は、本発明の第２の局面において、
前記偏心値算出部は、各エリアの中心位置から前記最大輝度位置までの距離と、当該各エリアの中心位置から前記最大輝度位置へ伸ばした直線と当該各エリアの中心位置を通過する中心位置から正の方向側へ伸ばした水平軸とのなす角度とに基づいて、当該各エリアについての前記偏心値を求めることを特徴とする。【００１４】
本発明の第５の局面は、本発明の第１の局面において、
前記発光輝度補正部は、
前記複数のエリアを１エリアずつ順次に着目エリアとし、前記着目エリアから予め定められた範囲内に位置するエリアを１エリアずつ順次に補正対象エリアとして前記補正対象エリアの輝度を補正することによって、各エリアにつき前記第１の発光輝度から前記第２の発光輝度を求める際に複数回の輝度の補正を行い、
各エリアについての１回の輝度の補正の際に、前記着目エリアと前記補正対象エリアとの位置関係に応じて前記補正用データとして予め定められた第１係数と前記着目エリアについての前記偏心値とに基づいて第２係数を求め、前記着目エリアの第１の発光輝度に前記第２係数を乗ずることによって得られる輝度または前記補正対象エリアの補正前輝度のうちの大きい方の輝度を前記補正対象エリアの補正後輝度とし、
各エリアについての１回目の輝度の補正の際には、当該各エリアの第１の発光輝度を前記補正前輝度とし、
各エリアについての最後の輝度の補正で得られた前記補正後輝度を前記第２の発光輝度とすることを特徴とする。【００１５】
本発明の第６の局面は、本発明の第１の局面において、
前記発光輝度補正部は、
前記複数のエリアを１エリアずつ順次に着目エリアとし、前記着目エリアから予め定められた範囲内に位置するエリアを１エリアずつ順次に補正対象エリアとして前記補正対象エリアの輝度を補正することによって、各エリアにつき前記第１の発光輝度から前記第２の発光輝度を求める際に複数回の輝度の補正を行い、
各エリアについての１回の輝度の補正の際に、前記着目エリアと前記補正対象エリアとの位置関係に応じて前記補正用データとして予め定められた第１係数と前記着目エリアについての前記偏心値とに基づいて第２係数を求め、前記着目エリアの第１の発光輝度に前記第２係数を乗ずることによって得られた輝度を前記補正対象エリアの補正前輝度に加算することによって得られる輝度を前記補正対象エリアの補正後輝度とし、
各エリアについての１回目の輝度の補正の際には、当該各エリアの第１の発光輝度を前記補正前輝度とし、
各エリアについての最後の輝度の補正で得られた前記補正後輝度を前記第２の発光輝度とすることを特徴とする。【００１６】
本発明の第７の局面は、本発明の第５の局面において、
前記発光輝度補正部は、前記着目エリアの第１の発光輝度が０でなければ前記補正対象エリアの第２の発光輝度が当該補正対象エリアの第１の発光輝度よりも高くなるように、前記複数のエリアの第２の発光輝度を求めることを特徴とする。【００１７】
本発明の第８の局面は、複数の表示素子を含む表示パネルと複数の光源を含むバックライトとを備えた画像表示装置における画像表示方法であって、
入力画像を複数のエリアに分割し、各エリアに対応した入力画像に基づいて、当該各エリアに対応した光源の発光時の輝度を第１の発光輝度として求める発光輝度算出ステップと、
各エリアにつき前記入力画像に基づく最大の輝度値を有する画素の位置である最大輝度位置に基づいて当該各エリアから予め定められた範囲内に位置するエリアの前記第１の発光輝度を補正することにより、前記複数のエリアの第２の発光輝度を求める発光輝度補正ステップと、
前記入力画像と前記第２の発光輝度とに基づき、前記表示素子の光透過率を制御するための表示用データを求める表示用データ算出ステップと、
前記表示用データに基づき、前記表示パネルに対して前記表示素子の光透過率を制御する信号を出力するパネル駆動ステップと、
前記第２の発光輝度に基づき、前記バックライトに対して前記光源の輝度を制御する信号を出力するバックライト駆動ステップと
を備え、
前記発光輝度補正ステップでは、所定の補正用データに基づく前記第１の発光輝度の補正後の輝度を基準輝度としたとき、各エリアの中心位置を基準として当該各エリアの前記最大輝度位置と同じ側に位置するエリアについては前記基準輝度よりも前記第２の発光輝度の方が高くなるように、かつ、各エリアの中心位置を基準として当該各エリアの前記最大輝度位置とは異なる側に位置するエリアについては前記基準輝度よりも前記第２の発光輝度の方が低くなるように、前記第２の発光輝度が求められることを特徴とする。【００１８】
また、本発明の第８の局面において実施形態および図面を参照することにより把握される変形例が、課題を解決するための手段として考えられる。
【発明の効果】
【００１９】
本発明の第１の局面によれば、各エリアにおける最大輝度の画素の位置（最大輝度位置）に応じて、当該各エリアの周囲のエリアの発光輝度に補正が施される。その際、各エリアの中心位置を基準として最大輝度位置と同じ側に位置するエリアの発光輝度は比較的高い輝度とされ、各エリアの中心位置を基準として最大輝度位置とは異なる側に位置するエリアの発光輝度は比較的低い輝度とされる。このため、低階調の背景上を高階調の微細なオブジェクトが移動するような動画表示が行われた際に、オブジェクトが或る１つのエリア内を移動している期間内においても、その周囲のエリアの発光輝度は変化する。すなわち、各エリアの発光輝度は、オブジェクトの移動に伴って徐々に変化する。従って、そのようなオブジェクトがエリア間の境界部分を跨って移動するタイミングで各エリアの発光輝度が大きく変化することはない。これにより、各エリアの発光輝度が当該各エリア内の画素の輝度の最大値や平均値に基づいて決定されることに起因するフリッカの発生が抑制される。【００２０】
本発明の第２の局面によれば、各エリアにおける中心位置と最大輝度位置との位置関係に基づいて、当該各エリアの周囲のエリアの発光輝度が決定される。このため、低階調の背景上を高階調の微細なオブジェクトが移動するような動画表示が行われた際に、当該オブジェクトが或るエリアに近づくにつれて当該エリアの発光輝度を高め、当該オブジェクトが或るエリアから遠ざかるにつれて当該エリアの発光輝度を低くすることができる。これにより、表示パネル上でより好適な輝度分布が得られるよう、バックライトを発光させることができる。【００２１】
本発明の第３の局面によれば、比較的簡易な構成で、本発明の第２の局面と同様の効果が得られる。【００２２】
本発明の第４の局面によれば、エリア間における角度を考慮した位置関係やエリア内における中心位置からみた最大輝度位置の角度を考慮した位置関係に基づいて、各エリアの発光輝度を算出するための偏心値が求められる。このため、各エリアにおける最大輝度位置の中心位置からの偏りの程度に応じて、表示パネル上でより好適な輝度分布が得られるよう、バックライトを発光させることができる。【００２３】
本発明の第５の局面によれば、本発明の第１の局面と同様、各エリアの発光輝度が当該各エリア内の画素の輝度の最大値や平均値に基づいて決定されることに起因するフリッカの発生が抑制される。【００２４】
本発明の第６の局面によれば、本発明の第１の局面と同様、各エリアの発光輝度が当該各エリア内の画素の輝度の最大値や平均値に基づいて決定されることに起因するフリッカの発生が抑制される。【００２５】
本発明の第７の局面によれば、入力画像に基づき或るエリアの光源が点灯するときに、当該エリアの周囲のエリアの輝度が高められる。このため、単一エリア点灯が行われた際に、点灯対象のエリアの周囲のエリアの光源も点灯する。その結果、点灯対象のエリアの表示輝度が従来よりも高められ、単一エリア点灯時の輝度不足が解消される。
【図面の簡単な説明】
【００２６】
【図１】本発明の第１の実施形態におけるエリアアクティブ駆動処理部の詳細な構成を示すブロック図である。
【図２】上記第１の実施形態に係る液晶表示装置の構成を示すブロック図である。
【図３】図２に示すバックライトの詳細を示す図である。
【図４】上記第１の実施形態において、エリアアクティブ駆動処理部の処理手順を示すフローチャートである。
【図５】上記第１の実施形態において、液晶データとＬＥＤデータが得られるまでの経過を示す図である。
【図６】上記第１の実施形態において、最大輝度位置偏心係数の算出について説明するための図である。
【図７】上記第１の実施形態におけるＬＥＤフィルタの例を示す図である。
【図８】上記第１の実施形態における輝度拡散フィルタの例を示す図である。
【図９】上記第１の実施形態において、ローカル座標について説明するための図である。
【図１０】上記第１の実施形態において、グローバル座標について説明するための図である。
【図１１】上記第１の実施形態において、グローバル座標が（Ｉ，Ｊ）のエリアについての補正後の輝度値の算出について説明するための図である。
【図１２】上記第１の実施形態において、発光輝度補正処理の手順の一例を示すフローチャートである。
【図１３】着目エリアにおける最大輝度位置を考慮することなく周囲のエリアについての補助輝度値の算出が行われた場合の各エリアの補助輝度値を示す図である。
【図１４】上記第１の実施形態において、各エリアの寄与比率を示す図である。
【図１５】上記第１の実施形態において、各エリアの補助輝度値を示す図である。
【図１６】上記第１の実施形態における効果について説明するための図である。
【図１７】上記第１の実施形態における効果について説明するための図である。
【図１８】上記第１の実施形態における効果について説明するための図である。
【図１９】上記第２の実施形態において、最大輝度位置偏心係数の算出について説明するための図である。
【図２０】上記第２の実施形態において、発光輝度補正処理について説明するための図である。
【図２１】上記第２の実施形態において、発光輝度補正処理について説明するための図である。
【図２２】上記第２の実施形態において、発光輝度補正処理の手順を示すフローチャートである。
【図２３】上記第２の実施形態において、各エリアの寄与比率を示す図である。
【図２４】上記第２の実施形態において、各エリアの補助輝度値を示す図である。
【図２５】従来例における課題について説明するための図である。
【発明を実施するための形態】
【００２７】
以下、添付図面を参照しつつ本発明の実施形態について説明する。
【００２８】
＜１．第１の実施形態＞
＜１．１  全体構成および動作概要＞
図２は、本発明の第１の実施形態に係る液晶表示装置１０の構成を示すブロック図である。図２に示す液晶表示装置１０は、液晶パネル１１，パネル駆動回路１２，バックライト１３，バックライト駆動回路１４，およびエリアアクティブ駆動処理部１５を備えている。この液晶表示装置１０は、画面を複数のエリアに分割して各エリア内の入力画像に基づきバックライト光源の輝度を制御しながら液晶パネル１１を駆動するエリアアクティブ駆動を行う。以下、ｍとｎは２以上の整数、ｐとｑは１以上の整数、ｐとｑのうち少なくとも一方は２以上の整数であるとする。
【００２９】
液晶表示装置１０には、Ｒ画像，Ｇ画像，およびＢ画像を含む入力画像３１が入力される。Ｒ画像，Ｇ画像，およびＢ画像は、いずれも（ｍ×ｎ）個の画素の輝度を含んでいる。エリアアクティブ駆動処理部１５は、入力画像３１に基づき、液晶パネル１１の駆動に用いる表示用データ（以下、液晶データ３８という）と、バックライト１３の駆動に用いる発光輝度制御データ（以下、ＬＥＤデータ３５という）とを求める（詳細は後述）。
【００３０】
液晶パネル１１は、（ｍ×ｎ×３）個の表示素子２１を備えている。表示素子２１は、行方向（図２では横方向）に３ｍ個ずつ、列方向（図２では縦方向）にｎ個ずつ、全体として２次元状に配置される。表示素子２１には、赤色光を透過するＲ表示素子，緑色光を透過するＧ表示素子，および青色光を透過するＢ表示素子が含まれる。Ｒ表示素子，Ｇ表示素子，およびＢ表示素子は、行方向に並べて配置され、３個で１個の画素を形成する。但し、表示素子の並びはこの形式に限らない。
【００３１】
パネル駆動回路１２は、液晶パネル１１の駆動回路である。パネル駆動回路１２は、エリアアクティブ駆動処理部１５から出力された液晶データ３８に基づき、液晶パネル１１に対して表示素子２１の光透過率を制御する信号（電圧信号）を出力する。パネル駆動回路１２から出力された電圧は表示素子２１内の画素電極に書き込まれ、表示素子２１の光透過率は画素電極に書き込まれた電圧に応じて変化する。
【００３２】
バックライト１３は、液晶パネル１１の背面側に設けられ、液晶パネル１１の背面にバックライト光を照射する。図３は、バックライト１３の詳細を示す図である。バックライト１３は、図３に示すように、（ｐ×ｑ）個のＬＥＤユニット２２を含んでいる。ＬＥＤユニット２２は、行方向にｐ個ずつ、列方向にｑ個ずつ、全体として２次元状に配置される。ＬＥＤユニット２２は、赤色ＬＥＤ２３，緑色ＬＥＤ２４，および青色ＬＥＤ２５を１個ずつ含む。１個のＬＥＤユニット２２に含まれる３個のＬＥＤ２３〜２５から出射された光は、液晶パネル１１の背面の一部に当たる。
【００３３】
バックライト駆動回路１４は、バックライト１３の駆動回路である。バックライト駆動回路１４は、エリアアクティブ駆動処理部１５から出力されたＬＥＤデータ３５に基づき、バックライト１３に対してＬＥＤ２３〜２５の輝度を制御する信号（パルス信号ＰＷＭまたは電流信号）を出力する。ＬＥＤ２３〜２５の輝度は、ユニット内およびユニット外のＬＥＤの輝度とは独立して制御される。
【００３４】
液晶表示装置１０の画面は（ｐ×ｑ）個のエリアに分割され、１個のエリアには１個のＬＥＤユニット２２が対応づけられる。但し、輝度不足などの理由により、１個のエリアに対して複数のＬＥＤユニットがセットで使用する事も可能である。その場合、複数のＬＥＤユニットはバックライト駆動回路１４から、そのエリアに対して渡される輝度を複数ＬＥＤユニットの同時発光により実現する。エリアアクティブ駆動処理部１５は、（ｐ×ｑ）個のエリアのそれぞれについて、エリア内のＲ画像に基づき、当該エリアに対応した赤色ＬＥＤ２３の輝度（発光時の輝度）を求める。同様に、緑色ＬＥＤ２４の輝度はエリア内のＧ画像に基づき決定され、青色ＬＥＤ２５の輝度はエリア内のＢ画像に基づき決定される。エリアアクティブ駆動処理部１５は、バックライト１３に含まれるすべてのＬＥＤ２３〜２５の輝度を求め、求めた輝度を表すＬＥＤデータ３５をバックライト駆動回路１４に対して出力する。
【００３５】
また、エリアアクティブ駆動処理部１５は、ＬＥＤデータ３５に基づき、液晶パネル１１に含まれるすべての表示素子２１におけるバックライト光の輝度（表示され得る輝度、以下「表示輝度」という。）を求める。さらに、エリアアクティブ駆動処理部１５は、入力画像３１と表示輝度とに基づき、液晶パネル１１に含まれるすべての表示素子２１の光透過率を求め、求めた光透過率を表す液晶データ３８をパネル駆動回路１２に対して出力する。
【００３６】
液晶表示装置１０では、Ｒ表示素子の輝度は、バックライト１３から出射される赤色光の輝度とＲ表示素子の光透過率との積になる。１個の赤色ＬＥＤ２３から出射された光は、対応する１個のエリアを中心として複数のエリアに当たる。したがって、Ｒ表示素子の輝度は、複数の赤色ＬＥＤ２３から出射された光の輝度の合計とＲ表示素子の光透過率との積になる。同様に、Ｇ表示素子の輝度は複数の緑色ＬＥＤ２４から出射された光の輝度の合計とＧ表示素子の光透過率との積になり、Ｂ表示素子の輝度は複数の青色ＬＥＤ２５から出射された光の輝度の合計とＢ表示素子の光透過率との積になる。
【００３７】
以上のように構成された液晶表示装置１０によれば、入力画像３１に基づき好適な液晶データ３８とＬＥＤデータ３５とを求め、液晶データ３８に基づき表示素子２１の光透過率を制御し、ＬＥＤデータ３５に基づきＬＥＤ２３〜２５の輝度を制御することにより、入力画像３１を液晶パネル１１に表示することができる。また、エリア内の画素の輝度が小さいときには、当該エリアに対応したＬＥＤ２３〜２５の輝度を小さくすることにより、バックライト１３の消費電力を低減することができる。また、エリア内の画素の輝度が小さいときには、当該エリアに対応した表示素子２１の輝度をより少数のレベル間で切り替えることにより、画像の分解能を高め、表示画像の画質を改善することができる。
【００３８】
図４は、エリアアクティブ駆動処理部１５の処理手順を示すフローチャートである。エリアアクティブ駆動処理部１５には、入力画像３１に含まれるある色成分（以下、色成分Ｃという）の画像が入力される（ステップＳ１１）。色成分Ｃの入力画像には（ｍ×ｎ）個の画素の輝度が含まれる。
【００３９】
次に、エリアアクティブ駆動処理部１５は、色成分Ｃの入力画像に対してサブサンプリング処理（平均化処理）を行い、（ｓｐ×ｓｑ）個（ｓは２以上の整数）の画素の輝度を含む縮小画像を求める（ステップＳ１２）。ステップＳ１２では、色成分Ｃの入力画像は、横方向に（ｓｐ／ｍ）倍、縦方向に（ｓｑ／ｎ）倍に縮小される。次に、エリアアクティブ駆動処理部１５は、縮小画像を（ｐ×ｑ）個のエリアに分割する（ステップＳ１３）。各エリアには（ｓ×ｓ）個の画素の輝度が含まれる。次に、エリアアクティブ駆動処理部１５は、（ｐ×ｑ）個のエリアのそれぞれについて、エリア内の画素の輝度の最大値Ｍａと、エリア内の画素の輝度の平均値Ｍｅとを求める（ステップＳ１４）。次に、エリアアクティブ駆動処理部１５は、ステップＳ１４で求めた最大値Ｍａ，平均値Ｍｅなどに基づき、各エリアに対応したＬＥＤの発光時の輝度を求める（ステップＳ１５）。なお、ステップＳ１５で求められる輝度のことを以下「第１の発光輝度」という。
【００４０】
次に、エリアアクティブ駆動処理部１５は、各エリアについて、入力画像３１中の最大輝度のデータがエリア内のどの位置に存在するかを求め（以下、最大輝度のデータが存在する位置を「最大輝度位置」という。）、その最大輝度位置がエリアの中心位置から離れている程度を示す係数（以下、「最大輝度位置偏心係数」という。）を求める（ステップＳ１６）。本実施形態においては、この最大輝度位置偏心係数によって偏心値が実現されている。なお、最大輝度位置偏心係数の算出についての詳しい説明は後述する。次に、エリアアクティブ駆動処理部１５は、ステップＳ１６で求めた最大輝度位置偏心係数に基づき、第１の発光輝度を第２の発光輝度に補正する（ステップＳ１７）。この補正処理（以下、「発光輝度補正処理」という。）についての詳しい説明は後述する。
【００４１】
次に、エリアアクティブ駆動処理部１５は、ステップＳ１７で求めた（ｐ×ｑ）個の第２の発光輝度に対して輝度拡散フィルタを適用することにより、（ｔｐ×ｔｑ）個（ｔは２以上の整数）の表示輝度を含む第１のバックライト輝度データを求める（ステップＳ１８）。ステップＳ１８では、（ｐ×ｑ）個の第２の発光輝度は、横方向と縦方向にそれぞれｔ倍に拡大される。
【００４２】
次に、エリアアクティブ駆動処理部１５は、第１のバックライト輝度データに対して線形補間処理を行うことにより、（ｍ×ｎ）個の表示輝度を含む第２のバックライト輝度データを求める（ステップＳ１９）。ステップＳ１９では、第１のバックライト輝度データは、横方向に（ｍ／ｔｐ）倍、横方向に（ｎ／ｔｑ）倍に拡大される。第２のバックライト輝度データは、（ｐ×ｑ）個の色成分ＣのＬＥＤがステップＳ１７で求めた第２の発光輝度で発光したときに（ｍ×ｎ）個の色成分Ｃの表示素子２１に入射する色成分Ｃのバックライト光の輝度を表す。
【００４３】
次に、エリアアクティブ駆動処理部１５は、色成分Ｃの入力画像に含まれる（ｍ×ｎ）個の画素の輝度を、それぞれ、第２のバックライト輝度データに含まれる（ｍ×ｎ）個の表示輝度で割ることにより、（ｍ×ｎ）個の色成分Ｃの表示素子２１の光透過率Ｔを求める（ステップＳ２０）。
【００４４】
最後に、エリアアクティブ駆動処理部１５は、色成分Ｃについて、ステップＳ２０で求めた（ｍ×ｎ）個の光透過率Ｔを表す液晶データ３８と、ステップＳ１７で求めた（ｐ×ｑ）個の第２の発光輝度を表すＬＥＤデータ３５とを出力する（ステップＳ２１）。この際、液晶データ３８とＬＥＤデータ３５は、パネル駆動回路１２とバックライト駆動回路１４の仕様に合わせて好適な範囲の値に変換される。
【００４５】
エリアアクティブ駆動処理部１５は、Ｒ画像，Ｇ画像，およびＢ画像に対して図４に示す処理を行うことにより、（ｍ×ｎ×３）個の画素の輝度を含む入力画像３１に基づき、（ｍ×ｎ×３）個の透過率を表す液晶データ３８と、（ｐ×ｑ×３）個の第２の発光輝度を表すＬＥＤデータ３５とを求める。
【００４６】
図５は、ｍ＝１９２０，ｎ＝１０８０，ｐ＝３２，ｑ＝１６，ｓ＝１０，ｔ＝５の場合について、液晶データとＬＥＤデータが得られるまでの経過を示す図である。図５に示すように、（１９２０×１０８０）個の画素の輝度を含む色成分Ｃの入力画像に対してサブサンプリング処理を行うことにより、（３２０×１６０）個の画素の輝度を含む縮小画像が得られる。縮小画像は、（３２×１６）個のエリア（エリアサイズは（１０×１０）画素）に分割される。各エリアについて画素の輝度の最大値Ｍａと平均値Ｍｅを求めることにより、（３２×１６）個の最大値を含む最大値データと、（３２×１６）個の平均値を含む平均値データとが得られる。さらに、最大値データや平均値データなどに基づき、（３２×１６）個の発光輝度（第１の発光輝度）が得られる。第１の発光輝度は発光輝度補正処理によって補正され、（３２×１６）個の発光輝度（第２の発光輝度）を表す色成分ＣのＬＥＤデータが得られる。
【００４７】
色成分ＣのＬＥＤデータに輝度拡散フィルタを適用することにより、（１６０×８０）個の輝度を含む第１のバックライト輝度データが得られ、第１のバックライト輝度データに対して線形補間処理を行うことにより、（１９２０×１０８０）個の輝度を含む第２のバックライト輝度データが得られる。最後に、入力画像に含まれる画素の輝度を第２のバックライト輝度データに含まれる輝度で割ることにより、（１９２０×１０８０）個の光透過率を含む色成分Ｃの液晶データが得られる。
【００４８】
なお、図４および図５では、説明を容易にするために、エリアアクティブ駆動処理部１５は、各色成分の画像に対する処理を順に行うこととしたが、各色成分の画像に対する処理を時分割で行っても良い。また、図４および図５では、エリアアクティブ駆動処理部１５は、ノイズ除去のために入力画像に対してサブサンプリング処理を行い、縮小画像に基づきエリアアクティブ駆動を行うこととしたが、元の入力画像に基づきエリアアクティブ駆動を行う構成としても良い。
【００４９】
＜１．２  エリアアクティブ駆動処理部の構成＞
図１は、本実施形態におけるエリアアクティブ駆動処理部１５の詳細な構成を示すブロック図である。エリアアクティブ駆動処理部１５は、所定の処理を実行するための構成要素として、発光輝度算出部１５１と最大輝度位置偏心係数算出部１５２と発光輝度補正部１５３と表示輝度算出部１５４と液晶データ算出部１５５とを備え、所定のデータを格納するための構成要素として、ＬＥＤフィルタ１５６と輝度拡散フィルタ１５７とを備えている。なお、本実施形態においては、最大輝度位置偏心係数算出部１５２によって偏心値算出部が実現され、表示輝度算出部１５４と液晶データ算出部１５５とによって表示用データ算出部が実現されている。
【００５０】
発光輝度算出部１５１は、入力画像３１を複数のエリアに分割し、当該入力画像３１に基づいて、各エリアに対応したＬＥＤの発光時の輝度（上述の第１の発光輝度）を求める。この輝度を算出する方法としては、例えば、エリア内の画素の輝度の最大値Ｍａに基づいて決定する方法，エリア内の画素の輝度の平均値Ｍｅに基づいて決定する方法，エリア内の画素の輝度の最大値Ｍａと平均値Ｍｅを加重平均することにより得られる値に基づいて決定する方法などがある。
【００５１】
最大輝度位置偏心係数算出部１５２は、各エリアについて、最大輝度位置に基づき上述の最大輝度位置偏心係数３３を求める。ここで、本実施形態における最大輝度位置偏心係数３３の求め方について、図６を参照しつつ説明する。なお、本実施形態においては、最大輝度位置偏心係数３３として、水平方向についての中心位置から離れている程度を示す水平方向偏心係数Ｋｈと垂直方向についての中心位置から離れている程度を示す垂直方向偏心係数Ｋｖとが算出される。
【００５２】
図６に示すエリアに関し、水平方向の一辺の長さは２Ｗｘとなっており、垂直方向の一辺の長さは２Ｗｙとなっている。従って、中心位置から水平方向に隣接するエリアまでの距離はＷｘとなっており、中心位置から垂直方向に隣接するエリアまでの距離はＷｙとなっている。また、中心位置から水平方向（右方向）に距離δｘだけ離れ、かつ、垂直方向（上方向）に距離δｙだけ離れた位置が、このエリアにおける最大輝度位置となっている。このとき、水平方向偏心係数Ｋｈは次式（１）によって算出され、垂直方向偏心係数Ｋｖは次式（２）によって算出される。
Ｋｈ＝δｘ／Ｗｘ      ・・・（１）
Ｋｖ＝δｙ／Ｗｙ      ・・・（２）
なお、最大輝度位置が中心位置よりも右側にあるときには上式（１）のδｘは正の値となり、最大輝度位置が中心位置よりも左側にあるときには上式（１）のδｘは負の値となる。また、最大輝度位置が中心位置よりも上側にあるときには上式（２）のδｙは正の値となり、最大輝度位置が中心位置よりも下側にあるときには上式（２）のδｙは負の値となる。
【００５３】
以上のようにして、最大輝度位置偏心係数算出部１５２では、パネル内に含まれる全てのエリアについての最大輝度位置偏心係数３３が算出される。そして、その最大輝度位置偏心係数３３は発光輝度補正部１５３に与えられる。
【００５４】
ＬＥＤフィルタ１５６には、発光輝度算出部１５１によって算出された第１の発光輝度３２を補正するためのデータが格納されている。ＬＥＤフィルタ１５６は模式的には例えば図７に示すようなものとなっている。このＬＥＤフィルタ１５６には、任意のエリア（ここでは符号６１で示すエリア）に着目したときに当該エリア６１の明るさを補助すべく周囲のエリアの輝度を本来の輝度よりも高くするための、エリア６１の輝度に対する周囲のエリアの輝度の比率（以下、「寄与比率」という。）が格納されている。
【００５５】
発光輝度補正部１５３は、最大輝度位置偏心係数算出部１５２によって算出された最大輝度位置偏心係数３３とＬＥＤフィルタ１５６に格納されている寄与比率３４とに基づいて、発光輝度算出部１５１によって算出された第１の発光輝度３２を補正する。この補正により、パネル内の各エリアについての第２の発光輝度が算出される。第２の発光輝度を示すＬＥＤデータ３５は、バックライト駆動回路１４に与えられるとともに表示輝度算出部１５４に与えられる。
【００５６】
輝度拡散フィルタ１５７には、任意のエリアのＬＥＤから出射された光がどのように拡散するかを示す数値データ（以下、「光拡散データ」という。）が格納されている。詳しくは、１つのエリアのＬＥＤが発光した時に当該エリアに現れる輝度の値を「１００」と仮定した場合における、当該エリアおよびその周囲のエリアに現れる輝度の値が、上記光拡散データとして輝度拡散フィルタ１５７に格納されている。例えば、図８に示すように、光拡散データが輝度拡散フィルタ１５７に格納されている。
【００５７】
表示輝度算出部１５４は、発光輝度補正部１５３で求められたＬＥＤデータ（第２の発光輝度）３５と輝度拡散フィルタ１５７に格納されている光拡散データ３６とに基づいて、液晶パネル１１に含まれるすべての表示素子２１における表示輝度３７を求める。液晶データ算出部１５５は、入力画像３１と表示輝度３７とに基づいて、液晶パネル１１に含まれるすべての表示素子２１の光透過率を表す液晶データ３８を求める。
【００５８】
なお、本実施形態においては、ＬＥＤフィルタ１５６に格納されている寄与比率によって第１係数が実現されている。
【００５９】
＜１．３  発光輝度補正処理＞
以下、本実施形態における発光輝度補正処理について詳しく説明する。なお、以下の説明においては、任意のエリアを中心としたときの当該エリアを基準とする周囲のエリアの座標のことを「ローカル座標」という。また、パネルの左上隅のエリアを基準としたときの各エリアの座標のことを「グローバル座標」という。ローカル座標については、中心となるエリアの座標を（０，０）で表し、右方向および上方向を正として、中心となるエリアから右方向にｉ番目，上方向にｊ番目に位置するエリアの座標を（ｉ，ｊ）で表す。グローバル座標については、パネルの左上隅のエリアの座標を（０，０）で表し、右方向および下方向を正として、パネルの左上隅のエリアから右方向にＩ番目，下方向にＪ番目に位置するエリアの座標を（Ｉ，Ｊ）で表す。図９は、符号６２で示すエリアを中心としたときの各エリアのローカル座標を示している。図１０は、符号６３で示すエリアがパネルの左上隅のエリアであるときの各エリアのグローバル座標を示している。
【００６０】
発光輝度補正処理では、パネル内のエリアが１エリアずつ順次に着目エリアとされ、着目エリアの周囲のエリアの輝度（第１の発光輝度）に補正が施される。本実施形態においては、着目エリアを中心として水平方向に７エリアかつ垂直方向に７エリアの範囲内に位置するエリアに対して補正が施される。但し、着目エリアの第１の発光輝度が０である場合には、当該着目エリアの周囲のエリアの輝度に補正は施されない。ここで、図６に示したように、中心位置から水平方向（右方向）に距離δｘだけ離れ、かつ、垂直方向（上方向）に距離δｙだけ離れた位置が、着目エリアにおける最大輝度位置であると仮定する。このとき、着目エリアの周囲のエリアの輝度は以下のようにして補正される。なお、着目エリアのグローバル座標を（Ｉ，Ｊ）とする。
【００６１】
発光輝度補正処理は発光輝度補正部１５３で行われるが、予め最大輝度位置偏心係数算出部１５２によって、各エリアについての最大輝度位置偏心係数（水平方向偏心係数Ｋｈおよび垂直方向偏心係数Ｋｖ）が当該各エリアの最大輝度位置に基づいて算出される。そして、発光輝度補正部１５３では、まず、最大輝度位置偏心係数を用いて、補正後の輝度値の大きさを調整するための修正係数（水平方向修正係数および垂直方向修正係数）が求められる。着目エリアの水平方向修正係数Ｒｈ（Ｉ，Ｊ）は次式（３）によって算出される。
Ｒｈ（Ｉ，Ｊ）＝Ｔ＊Ｋｈ
＝Ｔ＊δｘ／Ｗｘ      ・・・（３）
同様に、着目エリアの垂直方向修正係数Ｒｖ（Ｉ，Ｊ）は次式（４）によって算出される。
Ｒｖ（Ｉ，Ｊ）＝Ｔ＊Ｋｖ
＝Ｔ＊δｙ／Ｗｙ      ・・・（４）
上式（３）および上式（４）において、Ｔは修正係数の大きさを調整するために装置毎に定められる調整係数である。
【００６２】
なお、本実施形態においては、上式（３）および上式（４）において共通の調整係数Ｔが用いられているが、本発明はこれに限定されない。バックライトの光学系の特性がパネルの水平方向と垂直方向とで異なる場合など、より高い精度の輝度調整を可能にするため、上式（３）と上式（４）とで異なる調整係数Ｔが用いられる構成としても良い。
【００６３】
上式（３）から把握されるように、δｘが正の値のとき、すなわち、最大輝度位置が中心位置よりも右側にあるときには、水平方向修正係数Ｒｈ（Ｉ，Ｊ）は正の値となる。一方、δｘが負の値のとき、すなわち、最大輝度位置が中心位置よりも左側にあるときには、水平方向修正係数Ｒｈ（Ｉ，Ｊ）は負の値となる。また、上式（４）から把握されるように、δｙが正の値のとき、すなわち、最大輝度位置が中心位置よりも上側にあるときには、垂直方向修正係数Ｒｖ（Ｉ，Ｊ）は正の値となる。一方、δｙが負の値のとき、すなわち、最大輝度位置が中心位置よりも下側にあるときには、垂直方向修正係数Ｒｖ（Ｉ，Ｊ）は負の値となる。
【００６４】
次に、着目エリアのローカル座標を（０，０）として、着目エリアの水平方向修正係数Ｒｈ（Ｉ，Ｊ）および垂直方向修正係数Ｒｖ（Ｉ，Ｊ）に基づいて、ＬＥＤフィルタ１５６に格納されている各エリアの寄与比率に補正が施される。具体的には、ローカル座標（ｉ，ｊ）のエリアについての補正後の寄与比率Ｅ（ｉ，ｊ）が次式（５）によって算出される。なお、本実施形態においては、この寄与比率Ｅ（ｉ，ｊ）によって第２係数が実現されている。
E(i,j) = (1+S(i)*Rh(I,J)) * (1+S(j)*Rv(I,J)) * C(i,j)
・・・（５）
ここで、Ｓ（ａ）は関数であり、ａ＝０のときは０を返し、ａ＞０のときは１を返し、ａ＜０のときは−１を返す。また、Ｃ（ｉ，ｊ）はＬＥＤフィルタ１５６に格納されているローカル座標（ｉ，ｊ）のエリアの補正前の寄与比率である。
【００６５】
ところで、上式（１）および上式（２）に関し、δｘは０以上Ｗｘ以下の値を取り、δｙは０以上Ｗｙ以下の値を取る。又、Ｓ（ｉ）及びＳ（ｊ）は−１、０、１の値を取る。従って、最大輝度位置偏心係数は−１以上１以下の値を取る。このため、上式（３）および上式（４）で得られる修正係数（水平方向修正係数および垂直方向修正係数）は−Ｔ以上Ｔ以下の値を取る。これにより、上式（５）で得られる寄与比率Ｅ（ｉ，ｊ）については、「（１−Ｔ）2＊Ｃ（ｉ，ｊ）」から「（１＋Ｔ）2＊Ｃ（ｉ，ｊ）」までの範囲内の値となる。
【００６６】
次に、上式（５）で算出された寄与比率Ｅ（ｉ，ｊ）を用いて、着目エリアの周囲のエリアについての補正後の輝度値Ｖｌｂ（ｉ，ｊ）が求められる。具体的には、ローカル座標（ｉ，ｊ）のエリアについての補正後の輝度値Ｖｌｂ（ｉ，ｊ）が次式（６）によって算出される。
Vlb(i,j) = MAX( Vlo(i,j), E(i,j) * Vlo(0,0) )      ・・・（６）
ここで、ＭＡＸ（ａ，ｂ）は関数であり、ａおよびｂのうちの大きい方の値を返す。Ｖｌｏ（ｉ，ｊ）は、ローカル座標（ｉ，ｊ）のエリアについての補正前の輝度値である。Ｖｌｏ（０，０）は、着目エリアの第１の発光輝度である。
【００６７】
ところで、グローバル座標が（Ｉ，Ｊ）のエリアについては、グローバル座標が（Ｉ−３，Ｊ−３）から（Ｉ＋３，Ｊ＋３）までの範囲内に位置するエリアがそれぞれ着目エリアとされたときに、上式（６）によって補正後の輝度値が算出される（図１１参照）。すなわち、各エリアについて、上式（６）に基づく補正後の輝度値の算出は複数回行われる。この補正後の輝度値の算出において、１回目の算出の際には、各エリアの第１の発光輝度が上式（６）の右辺中のＶｌｏ（ｉ，ｊ）となる。また、（ｎ−１）回目の算出で得られた上式（６）の左辺であるＶｌｂ（ｉ，ｊ）の値が、ｎ回目の算出の際の上式（６）の右辺中のＶｌｏ（ｉ，ｊ）となる。そして、各エリアにつき、それら複数回の算出のうちの最後の算出で得られたＶｌｂ（ｉ，ｊ）の値が、当該各エリアについての第２の発光輝度となる。
【００６８】
図１２は、発光輝度補正処理の手順の一例を示すフローチャートである。まず、発光輝度補正部１５３は、パネル内に含まれる全てのエリアの中から処理対象とするエリア（着目エリア）を抽出する（ステップＳ３０）。なお、ステップＳ３０からステップＳ４６までの処理はパネル内に含まれるエリア数に等しい数だけ繰り返され、ステップＳ３０では１つずつエリアが抽出される。次に、発光輝度補正部１５３は、上式（３）および上式（４）によって、着目エリアの水平方向修正係数および垂直方向修正係数を算出する（ステップＳ３２）。
【００６９】
次に、発光輝度補正部１５３は、着目エリアの周囲のエリアの中から輝度値の補正を行う補正対象エリアを抽出する（ステップＳ３４）。なお、ステップＳ３４からステップＳ４４までの処理はＬＥＤフィルタ１５６に格納されている寄与比率のデータ数に等しい数だけ繰り返され、ステップＳ３４では１つずつエリアが抽出される。
【００７０】
次に、発光輝度補正部１５３は、上式（５）によって、補正対象エリアについての寄与比率を算出する（ステップＳ３６）。次に、発光輝度補正部１５３は、着目エリアの第１の発光輝度とステップＳ３６で求めた補正対象エリアの寄与比率との積（以下、「補助輝度値」という。）を算出する（ステップＳ３８）。すなわち、ステップＳ３８では、上式（６）の右辺中のＥ（ｉ，Ｊ）＊Ｖｌｏ（０，０）の値が算出される。
【００７１】
次に、発光輝度補正部１５３は、ステップＳ３８で算出した補助輝度値が補正対象エリアについての現時点での輝度値（補正前輝度値）よりも大きいか否かを判定する（ステップＳ４０）。すなわち、ステップＳ４０では、上式（６）の右辺中のＶｌｏ（ｉ，ｊ）とＥ（ｉ，Ｊ）＊Ｖｌｏ（０，０）との比較が行われる。判定の結果、補正前輝度値よりも補助輝度値の方が大きければステップＳ４２に進み、そうでなければステップＳ４４に進む。ステップＳ４２では、発光輝度補正部１５３は、ステップＳ３８で算出した補助輝度値を補正対象エリアの輝度値（補正後の輝度値）に設定する。すなわち、ステップＳ４２では、上式（６）の左辺中のＶｌｂ（ｉ，ｊ）に、上式（６）の右辺中のＥ（ｉ，Ｊ）＊Ｖｌｏ（０，０）の値が代入される。ステップＳ４２の終了後、ステップＳ４４に進む。
【００７２】
ステップＳ４４では、発光輝度補正部１５３は、着目エリアに対応する全ての補正対象エリアの抽出が終了したか否かを判定する。判定の結果、全ての補正対象エリアの抽出が終了していればステップＳ４６に進み、そうでなければステップＳ３４に戻る。ステップＳ４６では、発光輝度補正部１５３は、パネル内の全てのエリアの抽出が終了したか否かを判定する。判定の結果、全てのエリアの抽出が終了していれば発光輝度補正処理は終了し、そうでなければステップＳ３０に戻る。
【００７３】
＜１．４  作用および効果＞
次に、本実施形態における作用および効果について説明する。ここでは、ＬＥＤフィルタ１５６は図７に示すようなものとなっていて、或るエリア（「着目エリア」とする）の第１の発光輝度が２５５になっていると仮定する。このとき、仮に着目エリアにおける最大輝度位置を考慮することなく周囲のエリアについての補助輝度値の算出が行われると、各エリアの補助輝度値は図１３に示すようなものとなる。なお、図１３では着目エリアを符号６４で示している。図１３における各エリアの補助輝度値は、ＬＥＤフィルタ１５６に格納されている寄与比率と着目エリア６４の第１の発光輝度である２５５とを乗ずることによって得られる値となっている。図１３から把握されるように、各エリアの補助輝度値は、着目エリア６４を中心として上下左右対称となっている。
【００７４】
これに対して、本実施形態においては、着目エリアにおける最大輝度位置を考慮して、周囲のエリアについての補助輝度値が算出される。例えば、δｘ＝８，Ｗｘ＝１０，δｙ＝８，Ｗｙ＝１０となっていて（図６参照）、かつ、上式（３）および上式（４）における調整係数Ｔが０．２５に定められていると、着目エリア（グローバル座標を（Ｉ，Ｊ）とする。）の水平方向修正係数Ｒｈ（Ｉ，Ｊ）は次式（７）で示すように算出され、着目エリアの垂直方向修正係数Ｒｖ（Ｉ，Ｊ）は次式（８）で示すように算出される。
Ｒｈ（Ｉ，Ｊ）＝Ｔ＊δｘ／Ｗｘ
＝０．２５＊８／１０
＝０．２      ・・・（７）
Ｒｖ（Ｉ，Ｊ）＝Ｔ＊δｙ／Ｗｙ
＝０．２５＊８／１０
＝０．２      ・・・（８）
【００７５】
上式（７）で得られた水平方向修正係数Ｒｈ（Ｉ，Ｊ）と上式（８）で得られた垂直方向修正係数Ｒｖ（Ｉ，Ｊ）とを上式（５）に代入することによって得られる各エリアの寄与比率Ｅ（ｉ，ｊ）は、図１４に示すようなものとなる。ここで、上式（５）に関し、Ｅ（ｉ，ｊ）とＣ（ｉ，ｊ）との関係は次のようになっている。
ｉ＞０、かつ、ｊ＞０のとき
Ｅ（ｉ，ｊ）＝（１＋０．２）＊（１＋０．２）＊Ｃ（ｉ，ｊ）
ｉ＞０、かつ、ｊ＝０のとき
Ｅ（ｉ，ｊ）＝（１＋０．２）＊（１＋０．０）＊Ｃ（ｉ，ｊ）
ｉ＝０、かつ、ｊ＞０のとき
Ｅ（ｉ，ｊ）＝（１＋０．０）＊（１＋０．２）＊Ｃ（ｉ，ｊ）
ｉ＞０、かつ、ｊ＜０のとき
Ｅ（ｉ，ｊ）＝（１＋０．２）＊（１−０．２）＊Ｃ（ｉ，ｊ）
ｉ＜０、かつ、ｊ＞０のとき
Ｅ（ｉ，ｊ）＝（１−０．２）＊（１＋０．２）＊Ｃ（ｉ，ｊ）
ｉ＜０、かつ、ｊ＝０のとき
Ｅ（ｉ，ｊ）＝（１−０．２）＊（１＋０．０）＊Ｃ（ｉ，ｊ）
ｉ＝０、かつ、ｊ＜０のとき
Ｅ（ｉ，ｊ）＝（１＋０．０）＊（１−０．２）＊Ｃ（ｉ，ｊ）
ｉ＜０、かつ、ｊ＜０のとき
Ｅ（ｉ，ｊ）＝（１−０．２）＊（１−０．２）＊Ｃ（ｉ，ｊ）
【００７６】
これにより、着目エリアの周囲のエリアの補助輝度値は図１５に示すようなものとなる。なお、図１５では着目エリアを符号６５で示している。図１５における各エリアの補助輝度値は、上式（５）によって算出された寄与比率Ｅ（ｉ，ｊ）と着目エリア６５の第１の発光輝度である２５５とを乗ずることによって得られる値となっている。図１５から把握されるように、着目エリアを基準として右上方に位置するエリアにおける補助輝度値は比較的高い値となっており、着目エリアを基準として左下方に位置するエリアにおける補助輝度値は比較的低い値となっている。すなわち、着目エリアの中心位置を基準として最大輝度位置の存在する方向と同じ方向に位置するエリアについては、補助輝度値は比較的高い値とされ、着目エリアの中心位置を基準として最大輝度位置の存在する方向とは逆の方向に位置するエリアについては、補助輝度値は比較的低い値とされる。
【００７７】
上述のように着目エリアの最大輝度位置に応じて当該着目エリアの周囲のエリアの補助輝度値が決定されることにより、動画表示の際のフリッカの発生が抑制される。これについて、図１６から図１８を参照しつつ説明する。ここでは、図１６に示すように黒色（輝度０％）の背景の中で白色（輝度１００％）の微細な矩形オブジェクト９１が画面の左から右へと移動する動画表示が行われたときの現象について説明する。具体的には、水平方向に連続するエリア７１〜７６（図１７参照）内を矩形オブジェクト９１が時間の経過に従って画面の左から右へと移動するものと仮定する。図１７に示すように、時点ｔ１から時点ｔ３にかけて矩形オブジェクト９１がエリア７３からエリア７４へと移動する場合、本実施形態によると、各エリア７１〜７６における（ＬＥＤの）発光輝度の変化は図１８に示すようなものとなる。時点ｔ１と時点ｔ２とでは矩形オブジェクト９１はいずれもエリア７３内に存在するにもかかわらず、エリア７１，７２，７４，および７５の発光輝度は時点ｔ１と時点ｔ２とで異なっている。詳しくは、矩形オブジェクト９１がエリア７３内において比較的左方に存在する時点ｔ１では、エリア７３を最大の発光輝度として、エリア７１，７２の発光輝度は比較的高くされ、エリア７４，７５の発光輝度は比較的低くされている。一方、矩形オブジェクト９１がエリア７３内において比較的右方に存在する時点ｔ２では、エリア７３を最大の発光輝度として、エリア７１，７２の発光輝度は比較的低くされ、エリア７４，７５の発光輝度は比較的高くされている。そして、矩形オブジェクト９１がエリア７３からエリア７４に移動した直後の時点ｔ３では、エリア７４を最大の発光輝度として、エリア７２，７３の発光輝度は比較的高くされ、エリア７５，７６の発光輝度は比較的低くされている。
【００７８】
このように、従来例（図２５参照）とは異なり、矩形オブジェクト９１の移動に伴って各エリアの発光輝度が徐々に変化することが把握される。また、エリア７４に着目すると、従来例（図２５参照）においては、時点ｔ２から時点ｔ３までの間に大きく発光輝度が変化している。一方、本実施形態においては、時点ｔ２で発光輝度が既に高められているので、時点ｔ２から時点ｔ３までの間に大きく発光輝度が変化することはない。
【００７９】
以上のように、本実施形態によれば、矩形オブジェクト９１がエリア間の境界部分を跨って移動するタイミングで各エリアの発光輝度が大きく変化することはない。これにより、各エリアの発光輝度が当該各エリア内の画素の輝度の最大値や平均値に基づいて決定されることに起因する、動画表示の際のフリッカの発生が抑制される。
【００８０】
＜１．５  変形例＞
上記第１の実施形態においては、図１２のステップＳ４０，Ｓ４２で「補助輝度値が補正前輝度値よりも大きければ、補助輝度値が補正対象エリアの輝度値に設定される」という構成になっているが、本発明はこれに限定されない。図１２のステップＳ３８の終了後「補正前輝度値と補助輝度値との和が補正対象エリアの輝度値に設定される」という構成であっても良い。すなわち、上式（６）に代えて、次式（９）によってローカル座標（ｉ，ｊ）のエリアについての補正後の輝度値Ｖｌｂ（ｉ，ｊ）の算出が行われても良い。
Vlb(i,j) = Vlo(i,j) + E(i,j) * Vlo(0,0)       ・・・（９）
【００８１】
この構成の場合、グローバル座標が（Ｉ，Ｊ）のエリアについては、グローバル座標が（Ｉ−３，Ｊ−３）から（Ｉ＋３，Ｊ＋３）までの範囲内に位置するエリアがそれぞれ着目エリアとされたときに、上式（９）によって補正後の輝度値が算出される（図１１参照）。すなわち、各エリアについて、上式（９）に基づく補正後の輝度値の算出は複数回行われる。この補正後の輝度値の算出において、１回目の算出の際には、各エリアの第１の発光輝度が上式（９）の右辺中のＶｌｏ（ｉ，ｊ）となる。また、（ｎ−１）回目の算出で得られた上式（９）の左辺であるＶｌｂ（ｉ，ｊ）の値が、ｎ回目の算出の際の上式（９）の右辺中のＶｌｏ（ｉ，ｊ）となる。このため、各エリアにつき、第１の発光輝度に上式（９）に基づく複数回の加算処理が行われた後の値が、当該各エリアの第２の発光輝度となる。但し、発光輝度には上限値があるので、上式（９）で得られるＶｌｂ（ｉ，ｊ）の値が上限値を超えるときには、第２の発光輝度はその上限値となる。
【００８２】
＜２．第２の実施形態＞
＜２．１  構成および動作＞
次に、本発明の第２の実施形態について説明する。全体構成および動作概要については、上記第１の実施形態と同様であるので（図２から図５を参照）、説明を省略する。エリアアクティブ駆動処理部１５については、上記第１の実施形態と同様、図１に示すような構成となっている。但し、最大輝度位置偏心係数算出部１５２の動作および発光輝度補正部１５３で行われる発光輝度補正処理の内容が上記第１の実施形態とは異なるので、これについて以下に説明する。
【００８３】
最大輝度位置偏心係数算出部１５２は、各エリアについて、最大輝度位置に基づいて最大輝度位置偏心係数を求める。ここで、図１９を参照しつつ、本実施形態における最大輝度位置偏心係数の求め方について説明する。図１９に示すエリアに関し、エリアの対角線の長さは２Ｗとなっている。従って、エリアの中心位置からエリアの頂点までの距離はＷとなっている。また、図１９に示すエリアでは、最大輝度位置は中心位置から距離δだけ離れた位置に存在し、かつ、中心位置から最大輝度位置へ伸ばした直線と中心位置から正の方向側へ伸ばした水平軸とのなす角度はθとなっている。このとき、水平方向偏心係数Ｋｈは次式（１０）によって算出され、垂直方向偏心係数Ｋｖは次式（１１）によって算出される。
Ｋｈ＝ｃｏｓθ＊δ／Ｗ      ・・・（１０）
Ｋｖ＝ｓｉｎθ＊δ／Ｗ      ・・・（１１）
なお、一般的な三角関数の角度に対する符号として、最大輝度位置が中心位置よりも右側にあるときには上式（１０）のｃｏｓθは正の値となり、最大輝度位置が中心位置よりも左側にあるときには上式（１０）のｃｏｓθは負の値となる。また、最大輝度位置が中心位置よりも上側にあるときには上式（１１）のｓｉｎθは正の値となり、最大輝度位置が中心位置よりも下側にあるときには上式（１１）のｓｉｎθは負の値となる。
【００８４】
次に、本実施形態における発光輝度補正処理について図２０を参照しつつ説明する。ここでは、符号６６で示すエリアを着目エリアとし、着目エリア６６から水平方向（右方向）に２エリア、垂直方向（上方向）に１エリア進んだ先に存在するエリアを補正対象エリア６７とする。
【００８５】
発光輝度補正部１５３では、まず、最大輝度位置偏心係数算出部１５２で算出された最大輝度位置偏心係数を用いて、補正後の輝度値を調整するための修正係数（水平方向修正係数および垂直方向修正係数）が求められる。なお、上記第１の実施形態においては、１つの着目エリアにつき１つの修正係数が求められたが、本実施形態においては、１つの着目エリアにつき補正対象エリアとされるべきエリアの数に等しい数の修正係数が求められる。すなわち、１つの着目エリアについての処理中に各エリアが補正対象エリアとして抽出される都度、修正係数の算出が行われる。
【００８６】
着目エリア６６のグローバル座標が（Ｉ，Ｊ）であって、補正対象エリア６７のローカル座標が（ｉ，ｊ）であるときの水平方向修正係数Ｒｈ（Ｉ，Ｊ）は次式（１２）によって算出される。
Ｒｈ（Ｉ，Ｊ）＝Ｔ＊Ｋｈ＊ｃｏｓζ
＝Ｔ＊ｃｏｓθ＊δ／Ｗ＊ｃｏｓζ      ・・・（１２）
同様に、着目エリア６６のグローバル座標が（Ｉ，Ｊ）であって、補正対象エリア６７のローカル座標が（ｉ，ｊ）であるときの垂直方向修正係数Ｒｖ（Ｉ，Ｊ）は次式（１３）によって算出される。
Ｒｖ（Ｉ，Ｊ）＝Ｔ＊Ｋｖ＊ｓｉｎζ
＝Ｔ＊ｓｉｎθ＊δ／Ｗ＊ｓｉｎζ      ・・・（１３）
上式（１２）および上式（１３）において、Ｔは修正係数の大きさを調整するために装置毎に定められる調整係数である。また、ζは、着目エリア６６の中心位置から補正対象エリア６７の中心位置へ伸ばした直線と中心位置から正の方向側へ伸ばした水平軸とのなす角度である。なお、上記第１の実施形態と同様、上式（１２）と上式（１３）とで異なる調整係数が用いられる構成としても良い。
【００８７】
上式（１２）から把握されるように、ｃｏｓθおよびｃｏｓζの双方が正の値または双方が負の値のとき、すなわち、着目エリア６６の中心位置を通過する垂直軸を基準として（当該着目エリア６６の）最大輝度位置と補正対象エリア６７の中心位置とが同じ側にあるときには、水平方向修正係数Ｒｈ（Ｉ，Ｊ）は正の値となる。ｃｏｓθおよびｃｏｓζの一方が正の値で他方が負の値のとき、すなわち、着目エリア６６の中心位置を通過する垂直軸を基準として（当該着目エリア６６の）最大輝度位置と補正対象エリア６７の中心位置とが異なる側にあるとき（図２１参照）には、水平方向修正係数Ｒｈ（Ｉ，Ｊ）は負の値となる。
【００８８】
また、上式（１３）から把握されるように、ｓｉｎθおよびｓｉｎζの双方が正の値または双方が負の値のとき、すなわち、着目エリア６６の中心位置を通過する水平軸を基準として（当該着目エリア６６の）最大輝度位置と補正対象エリア６７の中心位置とが同じ側にあるときには、垂直方向修正係数Ｒｖ（Ｉ，Ｊ）は正の値となる。ｓｉｎθおよびｓｉｎζの一方が正の値で他方が負の値のとき、すなわち、着目エリア６６の中心位置を通過する水平軸を基準として（当該着目エリア６６の）最大輝度位置と補正対象エリア６７の中心位置とが異なる側にあるとき（図２１参照）には、垂直方向修正係数Ｒｖ（Ｉ，Ｊ）は負の値となる。
【００８９】
次に、着目エリア６６のローカル座標を（０，０）として、着目エリア６６の水平方向修正係数Ｒｈ（Ｉ，Ｊ）および垂直方向修正係数Ｒｖ（Ｉ，Ｊ）に基づいて、ＬＥＤフィルタ１５６に格納されている各エリアの寄与比率に補正が施される。具体的には、ローカル座標（ｉ，ｊ）のエリア（補正対象エリア６７）における補正後の寄与比率Ｅ（ｉ，ｊ）が次式（１４）によって算出される。
E(i,j) = (1+Rh(I,J)) * (1+Rv(I,J)) * C(i,j)      ・・・（１４）
ここで、Ｃ（ｉ，ｊ）はＬＥＤフィルタ１５６に格納されているローカル座標（ｉ，ｊ）のエリアの補正前の寄与比率である。
【００９０】
ところで、上式（１０）〜（１４）に関し、ｃｏｓθ，ｃｏｓζ，ｓｉｎθ，およびｓｉｎζは−１以上１以下の値を取り、δ／Ｗは０以上１以下の値を取る。従って、最大輝度位置偏心係数は−１以上１以下の値を取る。このため、上式（１２）および上式（１３）で得られる修正係数（水平方向修正係数および垂直方向修正係数）は−Ｔ以上Ｔ以下の値を取る。これにより、上式（１４）で得られる寄与比率Ｅ（ｉ，ｊ）については、「（１−Ｔ）2＊Ｃ（ｉ，ｊ）」から「（１＋Ｔ）2＊Ｃ（ｉ，ｊ）」までの範囲内の値となる。
【００９１】
次に、上記寄与比率Ｅ（ｉ，ｊ）を用いて、着目エリア６６の周囲のエリアについての補正後の輝度値Ｖｌｂ（ｉ，ｊ）が求められる。これについては、上記第１の実施形態と同様、上式（６）によって補正後の輝度値Ｖｌｂ（ｉ，ｊ）が算出される。また、上記第１の実施形態と同様、各エリアについて、上式（６）に基づく補正後の輝度値の算出は複数回行われる。そして、各エリアにつき、それら複数回の算出のうちの最後の算出で得られたＶｌｂ（ｉ，ｊ）の値が、当該各エリアの第２の発光輝度となる。なお、上記第１の実施形態と同様、上式（６）に代えて上式（９）によって輝度値Ｖｌｂ（ｉ，ｊ）が算出されても良い。
【００９２】
図２２は、本実施形態における発光輝度補正処理の手順を示すフローチャートである。まず、発光輝度補正部１５３は、パネル内に含まれる全てのエリアの中から処理対象とするエリア（着目エリア）を抽出する（ステップＳ５０）。なお、ステップＳ５０からステップＳ６６までの処理はパネル内に含まれるエリア数に等しい数だけ繰り返され、ステップＳ５０では１つずつエリアが抽出される。
【００９３】
次に、発光輝度補正部１５３は、着目エリアの周囲のエリアの中から輝度値の補正を行う補正対象エリアを抽出する（ステップＳ５２）。なお、ステップＳ５２からステップＳ６４までの処理はＬＥＤフィルタ１５６に格納されている寄与比率のデータ数に等しい数だけ繰り返され、ステップＳ５２では１つずつエリアが抽出される。
【００９４】
次に、発光輝度補正部１５３は、上式（１２）および上式（１３）によって、着目エリアの水平方向修正係数および垂直方向修正係数を算出する（ステップＳ５４）。次に、発光輝度補正部１５３は、上式（１４）によって、補正対象エリアについての寄与比率を算出する（ステップＳ５６）。次に、発光輝度補正部１５３は、着目エリアについての第１の発光輝度とステップＳ５６で求めた補正対象エリアについての寄与比率との積（補助輝度値）を算出する（ステップＳ５８）。すなわち、ステップＳ５８では、上式（６）の右辺中のＥ（ｉ，Ｊ）＊Ｖｌｏ（０，０）の値が算出される。
【００９５】
次に、発光輝度補正部１５３は、ステップＳ５８で算出した補助輝度値が補正対象エリアについての現時点での輝度値（補正前輝度値）よりも大きいか否かを判定する（ステップＳ６０）。すなわち、ステップＳ６０では、上式（６）の右辺中のＶｌｏ（ｉ，ｊ）とＥ（ｉ，Ｊ）＊Ｖｌｏ（０，０）との比較が行われる。判定の結果、補正前輝度値よりも補助輝度値の方が大きければステップＳ６２に進み、そうでなければステップＳ６４に進む。ステップＳ６２では、発光輝度補正部１５３は、ステップＳ５８で算出した補助輝度値を補正対象エリアの輝度値に設定する。すなわち、ステップＳ６２では、上式（６）の左辺中のＶｌｂ（ｉ，ｊ）に、上式（６）の右辺中のＥ（ｉ，Ｊ）＊Ｖｌｏ（０，０）の値が代入される。ステップＳ６２の終了後、ステップＳ６４に進む。
【００９６】
ステップＳ６４では、発光輝度補正部１５３は、着目エリアに対応する全ての補正対象エリアの抽出が終了したか否かを判定する。判定の結果、全ての補正対象エリアの抽出が終了していればステップＳ６６に進み、そうでなければステップＳ５２に戻る。ステップＳ６６では、発光輝度補正部１５３は、パネル内の全てのエリアの抽出が終了したか否かを判定する。判定の結果、全てのエリアの抽出が終了していれば発光輝度補正処理は終了し、そうでなければステップＳ５０に戻る。
【００９７】
＜２．２  作用および効果＞
次に、本実施形態における作用および効果について説明する。ここでは、ＬＥＤフィルタ１５６は図７に示すようなものとなっていて、或るエリア（「着目エリア」とする）における第１の発光輝度が２５５になっていると仮定する。例えば、δ＝８，Ｗ＝１０，θ＝４５°となっていて（図１９参照）、かつ、上式（１２）および上式（１３）における調整係数Ｔが０．２５に定められていると、着目エリアの水平方向修正係数Ｒｈ（Ｉ，Ｊ）は次式（１５）で示すように算出され、着目エリアの垂直方向修正係数Ｒｖ（Ｉ，Ｊ）は次式（１６）で示すように算出される。
【数１】
2011013402.tif 000003
【数２】
2011013402.tif 000004
上式（１５）および上式（１６）において、ζは、着目エリアの中心位置から補正対象エリアの中心位置へ伸ばした直線と中心位置から正の方向側へ伸ばした水平軸とのなす角度である。
【００９８】
上式（１５）で得られた水平方向修正係数Ｒｈ（Ｉ，Ｊ）と上式（１６）で得られた垂直方向修正係数Ｒｖ（Ｉ，Ｊ）とを上式（１４）に代入することによって得られる各エリアの寄与比率Ｅ（ｉ，ｊ）は、図２３に示すようなものとなる。これにより、着目エリアの周囲のエリアの補助輝度値は図２４に示すようなものとなる。なお、図２４では着目エリアを符号６８で示している。図２４における各エリアの補助輝度値は、上式（１４）によって算出された寄与比率Ｅ（ｉ，ｊ）と着目エリア６８の第１の発光輝度である２５５とを乗ずることによって得られる値となっている。上記第１の実施形態と同様、着目エリアの中心位置を基準として最大輝度位置の存在する方向と同じ方向に位置するエリアについては、補助輝度値は比較的高い値とされ、着目エリアの中心位置を基準として最大輝度位置の存在する方向とは逆の方向に位置するエリアについては、補助輝度値は比較的低い値とされている。このため、上記第１の実施形態と同様、各エリアの発光輝度が当該各エリア内の画素の輝度の最大値や平均値に基づいて決定されることに起因する、動画表示の際のフリッカの発生が抑制される。
【００９９】
ところで、上記ζは、補正対象エリアの中心位置によって異なる値となる。また、上記θは、着目エリア内の最大輝度位置によって異なる値となる。上記ζおよび上記θは、いずれも０以上２π以下の値を取る。ここで、水平方向修正係数Ｒｈ（Ｉ，Ｊ）を算出するための上式（１２）に着目すると、右辺には、ｃｏｓθとｃｏｓζとの積が含まれている。このため、着目エリアの中心位置を通過する垂直軸を基準として、最大輝度位置と補正対象エリアの中心位置とが同じ側にあるときには水平方向修正係数Ｒｈ（Ｉ，Ｊ）は正の値となり、最大輝度位置と補正対象エリアの中心位置とが異なる側にあるときには水平方向修正係数Ｒｈ（Ｉ，Ｊ）は負の値となる。また、垂直方向修正係数Ｒｖ（Ｉ，Ｊ）を算出するための上式（１３）に着目すると、右辺には、ｓｉｎθとｓｉｎζとの積が含まれている。このため、着目エリアの中心位置を通過する水平軸を基準として、最大輝度位置と補正対象エリアの中心位置とが同じ側にあるときには垂直方向修正係数Ｒｖ（Ｉ，Ｊ）は正の値となり、最大輝度位置と補正対象エリアの中心位置とが異なる側にあるときには垂直方向修正係数Ｒｖ（Ｉ，Ｊ）は負の値となる。そして、それら水平方向修正係数Ｒｈ（Ｉ，Ｊ）および垂直方向修正係数Ｒｖ（Ｉ，Ｊ）に基づいて、各エリアの寄与比率Ｅ（ｉ，ｊ）が求められる。
【０１００】
このように、本実施形態においては、着目エリアと補正対象エリアとの角度を考慮した位置関係および着目エリアにおける最大輝度位置と中心位置との角度を考慮した位置関係に基づいて、着目エリアの周囲の各エリアの寄与比率Ｅ（ｉ，ｊ）が求められる。このため、上記第１の実施形態と比較して、各エリアにおける最大輝度位置の中心位置からの偏りの程度に応じて、当該各エリアの周囲のエリアの発光輝度がより精度良く高められる。
【０１０１】
なお、例えば上式（１２）および上式（１３）での修正係数の算出の際に、着目エリアの中心位置と補正対象エリアの中心位置との距離が考慮されるようにしても良い。これにより、各エリアの発光輝度を更に精度良く決定することが可能となる。
【０１０２】
＜３．その他＞
上記各実施形態では、液晶表示装置を例に挙げて説明したが、本発明はこれに限定されない。バックライトを備えた任意の画像表示装置において上述のように発光輝度補正処理を行うことにより、液晶表示装置の場合と同様の効果を得ることができる。
【符号の説明】
【０１０３】
１０…液晶表示装置
１１…液晶パネル
１２…パネル駆動回路
１３…バックライト
１４…バックライト駆動回路
１５…エリアアクティブ駆動処理部
２１…表示素子
３１…入力画像
３２…第１の発光輝度
３３…最大輝度位置偏心係数
３４…寄与比率
３５…ＬＥＤデータ（第２の発光輝度）
３６…光拡散データ
３７…表示輝度
３８…液晶データ
１５１…発光輝度算出部
１５２…最大輝度位置偏心係数算出部
１５３…発光輝度補正部
１５４…表示輝度算出部
１５５…液晶データ算出部
１５６…ＬＥＤフィルタ
１５７…輝度拡散フィルタ
【図１】
2011013402.tif 000005
【図２】
2011013402.tif 000006
【図３】
2011013402.tif 000007
【図４】
2011013402.tif 000008
【図５】
2011013402.tif 000009
【図６】
2011013402.tif 000010
【図７】
2011013402.tif 000011
【図８】
2011013402.tif 000012
【図９】
2011013402.tif 000013
【図１０】
2011013402.tif 000014
【図１１】
2011013402.tif 000015
【図１２】
2011013402.tif 000016
【図１３】
2011013402.tif 000017
【図１４】
2011013402.tif 000018
【図１５】
2011013402.tif 000019
【図１６】
2011013402.tif 000020
【図１７】
2011013402.tif 000021
【図１８】
2011013402.tif 000022
【図１９】
2011013402.tif 000023
【図２０】
2011013402.tif 000024
【図２１】
2011013402.tif 000025
【図２２】
2011013402.tif 000026
【図２３】
2011013402.tif 000027
【図２４】
2011013402.tif 000028
【図２５】
2011013402.tif 000029
【手続補正書】
【提出日】平成23年12月27日(2011.12.27)
【手続補正１】
【補正対象書類名】明細書
【補正対象項目名】００４２
【補正方法】変更
【補正の内容】
【００４２】
次に、エリアアクティブ駆動処理部１５は、第１のバックライト輝度データに対して線形補間処理を行うことにより、（ｍ×ｎ）個の表示輝度を含む第２のバックライト輝度データを求める（ステップＳ１９）。ステップＳ１９では、第１のバックライト輝度データは、横方向に（ｍ／ｔｐ）倍、縦方向に（ｎ／ｔｑ）倍に拡大される。第２のバックライト輝度データは、（ｐ×ｑ）個の色成分ＣのＬＥＤがステップＳ１７で求めた第２の発光輝度で発光したときに（ｍ×ｎ）個の色成分Ｃの表示素子２１に入射する色成分Ｃのバックライト光の輝度を表す。
【国際調査報告】
2011013402.tif 000030
2011013402.tif 000031